(57)【要約】【課題】真空包装を行う袋の口の溶着密閉を完全に行える真空梱包機を提供する。【解決手段】箱体１１と、箱体１１上部を開閉自在にするもので閉じたときに箱体１１内部を密閉する蓋１２と、箱体１１内部に設けられた上面が線条のヒータ１３と、蓋１２の箱体１１内部側に設けられ、加熱部１３の上面１３１ｓに押さえ面１４ｓが対向する袋押さえ部１４と、箱体１１内部を真空引きする真空ポンプとを備えた真空梱包機１であって、蓋１２により箱体１１内部を密閉した状態で箱体１１内部を真空引きした際に、蓋１２とともに袋押さえ部１４が箱体１１内部側に反った状態で袋押さえ部１４の押さえ面１４と加熱部１３の上面１３１ｓとが密着するように、袋押さえ部１４の押さえ面１４ｓが湾曲した状態に形成されたものである。【選択図】　　　　図１
2004075132.tif 000002
【特許請求の範囲】
【請求項１】
箱体と、
前記箱体上部を開閉自在にするもので閉じたときに箱体内部を密閉する蓋と、
前記箱体内部に設けられた上面が線条のヒータと、
前記蓋の前記箱体内部側に設けられ、前記加熱部上面に押さえ面が対向する袋押さえ部と、
前記箱体内部を真空引きする真空ポンプと
を備えた真空梱包機であって、
前記蓋により前記箱体内部を密閉した状態で前記箱体内部を真空引きした際に、前記蓋とともに前記袋押さえ部が箱体内部側に反った状態で前記袋押さえ部の押さえ面と前記加熱部上面とが密着するように、前記袋押さえ部の押さえ面が湾曲した状態に形成されたこと
を特徴とする真空梱包機。
【発明の詳細な説明】
【０００１】
【発明の属する技術分野】
本発明は、真空梱包機に関し、詳しくは真空梱包機内を真空にすることで熱溶着可能な樹脂製の袋内の気体を脱気して袋を溶着密封する真空梱包機に関する。
【０００２】
【従来の技術】
図４の（１）の概略構成斜視図および（２）の要部を示す概略構成断面図に示すように、従来の真空梱包機１０は、箱体１１と、この箱体１１の上部開口部を開閉自在にするもので閉じたときに箱体１１の内部を密閉することができる蓋１２とで真空容器が構成されている。上記箱体１１の内部には、袋（図示せず）を載せる上面が線条の加熱部１３が備えられている。この加熱部１３の上面１３ｓは平坦面に形成されている。一方、上記蓋１２の箱体１１の内部側には上記加熱部１３の上面１３ｓに押さえ面１４ｓが対向する袋押さえ部１４が形成されている。この袋押さえ部１４の押さえ面１４ｓは平坦面に形成されている。また上記箱体１１の内部を真空引きする真空ポンプ（図示せず）が箱体１１に接続されている。
【０００３】
上記真空梱包機１０では、箱体１１の内部に真空密封したい袋を挿入し、袋の口を加熱部１３の上面１３ｓに載せて、蓋１２を閉じることによりヒータ１３の上面１３ｓと袋押さえ部１４の押さえ面とで押さえ付け、同時に箱体１１の内部を真空にする、そして加熱部１３で袋を加熱することにより袋の口を溶着して袋を密封する。
【０００４】
【発明が解決しようとする課題】
しかしながら、図５に示すように、箱体１１の内部を真空引きした際に、大気と箱体１１の内部との圧力差によって蓋１２が箱体１１の内部側に反る。同時に袋押さえ部１４も反る。そのため、平坦面で形成されている上記加熱部１３の上面１３ｓと上記袋押さえ部１４の押さえ面１４ｓとが押さえ付けられた際に、隙間Ｓを生じ、袋２１を十分に押さえ付けることができないため、袋２１の溶着が不完全になることがあった。その結果、梱包不良を発生していた。また、特開平１０−２７３１１１号公報の明細書段落００１９および図３には、上記課題を解決するために、ホルダ（袋押さえ部）の両端のみを弾性体を介して蓋体に支持させる構造が開示されているが、２点支持のためホルダをシールバー（密封接着用熱線部材）に押しつけた際に押しつけ力が片寄ることがあり、その場合には袋の密封が不完全になる、また弾性体の分だけ構成部材が多くなる等の問題があった。
【０００５】
【課題を解決するための手段】
本発明は、上記課題を解決するためになされた真空梱包機である。
【０００６】
本発明の真空梱包機は、箱体と、前記箱体上部を開閉自在にするもので閉じたときに箱体内部を密閉する蓋と、前記箱体内部に設けられた上面が線条の加熱部と、前記蓋の前記箱体内部側に設けられ、前記加熱部上面に押さえ面が対向する袋押さえ部と、前記箱体内部を真空引きする真空ポンプとを備えた真空梱包機であって、前記蓋により前記箱体内部を密閉した状態で前記箱体内部を真空引きした際に、前記蓋とともに前記袋押さえ部が箱体内部側に反った状態で前記袋押さえ部の押さえ面と前記加熱部上面とが密着するように、前記袋押さえ部の押さえ面が湾曲した状態に形成されたものである。
【０００７】
上記真空梱包機では、蓋により箱体内部を密閉した状態で箱体内部を真空引きした際に、蓋とともに袋押さえ部が箱体内部側に反った状態で袋押さえ部の押さえ面と加熱部上面とが密着するように、袋押さえ部の押さえ面が湾曲した状態に形成されていることから、加熱部の上面および袋押さえ部の押さえ面によって袋の口が押さえ付けられた際に、隙間を生じることなく、袋が十分に押さえ付けられるため、袋は完全に溶着される。
【０００８】
【発明の実施の形態】
本発明の真空梱包機に係る一実施の形態を、図１の概略構成斜視図および袋押さえ部およびその周辺の概略構成断面図によって説明する。
【０００９】
図１および図２に示すように、真空梱包機１は、箱体１１と、この箱体１１の上部を開閉自在にするもので閉じたときに箱体１１の内部を密閉することができる蓋１２とで真空容器が構成されている。上記箱体１１は、箱体１１内部を真空にした際に大気圧に十分耐えられる厚さを有し、例えば金属で形成されている。この金属としては、アルミニウム、アルミニウム合金、ステンレス等が用いられる。また上記蓋１２は、例えば樹脂で形成されている。この樹脂としては、メタクリル酸メチル樹脂、ポリカーボネート樹脂等の透明樹脂が好ましい。さらに、蓋１２の外面もしくは内面には、蓋１２を補強するリブを形成してもよい。上記箱体１１側には上記蓋１２との密封性を高めるために、箱体１１の蓋１２との接触部にシール部材（例えばＯリング）１６を設けることが好ましい。また上記箱体１１の内部を真空引きする真空ポンプ（図示せず）が箱体１１に接続されている。
【００１０】
上記箱体１１の内部には上面が線条の加熱部１３が備えられている。この加熱部１３は、図示しないヒータと、このヒータによって加熱されるヒータブロック１３１とからなるもので、ヒータブロックは、例えば昇降自在に形成され、熱伝導性に優れた金属、例えばアルミニウム、アルミニウム合金、銅等で形成されている。一方、上記蓋１２の箱体１１の内部側には上記ヒータブロック１３１の上面１３１ｓに押さえ面１４ｓが対向する袋押さえ部１４が形成されている。この袋押さえ部１４は上記ヒータブロック１３１と同様に、熱伝導性に優れた金属、例えばアルミニウム、アルミニウム合金、銅等で形成されている。さらに、袋押さえ部１４の押さえ面１４ｓに、弾性板、例えば厚さが０．５ｍｍ〜２ｍｍ程度の耐熱性を有するゴム板を形成してもよい。この耐熱性は、袋を溶着する際の温度に耐えればよい。
【００１１】
蓋１２により箱体１１の内部を密閉した状態で、上記真空ポンプによって箱体１１の内部を真空引きした際に、蓋１２とともに袋押さえ部１４が箱体１１の内部側に反った状態で袋押さえ部１４の押さえ面１４ｓとヒータブロック１３１の上面１３１ｓとが密着するように、袋押さえ部１４の押さえ面１４ｓは湾曲した状態に形成されている。
【００１２】
上記袋押さえ部１４の湾曲量は、袋押さえ部１４が取り付けられている部分の蓋１２の外側と内側の反り量が同等であり、かつ袋押さえ部１４の反り量も蓋１２の反り量と同等であるとすれば、蓋１２を閉じた状態で箱体１１の内部を真空引きした際に、袋押さえ部１４が取り付けられている蓋１２の反り量から求めることができる。したがって、蓋１２の外側の反り形状を求め、その形状を反転させた形状に袋押さえ部１４の押さえ面１４ｓを形成すればよい。蓋１２の反り量は、袋押さえ部１４の押さえ面１４ｓを削って湾曲した形状にしても、その削り量はわずかであるため、蓋１２の反り量に影響を及ぼすことはない。
【００１３】
図３に示すように、上記真空梱包機１では、ヒータブロック１３１の上面に溶着される袋２１を置き、蓋１２を閉じる。そして蓋１２により箱体１１の内部を密閉した状態で箱体１１の内部を真空引きするとともに、ヒータブロック１３１を上昇させて、ヒータブロック１３１と袋押さえ部１４とで袋２１を圧着する。上記袋押さえ部１４の押さえ面１４ｓが、真空引きした際に、蓋１２とともに袋押さえ部１４が箱体１１の内部側に反った状態となったときにヒータブロック１３１の上面１３１ｓと密着するように、湾曲した状態に形成されていることから、袋押さえ部１４の押さえ面１４ｓは平坦面となった状態で、袋押さえ部１４の押さえ面１４ｓとヒータブロック１３１の上面１３１ｓとが互いに押しつけられる。このため、袋２１が挟まれている部分では、ヒータブロック１３１の上面１３１ｓと袋押さえ部１４の押さえ面１４ｓとの間に隙間を生じることなく、袋２１が圧着かつ溶着されため、袋２１の口は完全に真空密封される。
【００１４】
【発明の効果】
以上、説明したように本発明の真空梱包機によれば、蓋により箱体内部を密閉した状態で箱体内部を真空引きした際に、蓋とともに袋押さえ部が箱体内部側に反った状態で袋押さえ部の押さえ面と加熱部上面とが密着するように、袋押さえ部の押さえ面が湾曲した状態に形成されていることから、加熱部の上面および袋押さえ部の押さえ面によって袋の口が押さえ付けられた際に、隙間を生じることなく、袋を十分に押さえ付けることができるため、袋の溶着を完全に行うことができる。その結果、梱包不良の発生を無くすことができる。また、上記真空梱包機では、蓋の反りを緩衝する弾性部材等を用いないので必要最小限の構成部材で構成することができる。よって、装置コストが低減できる。
【図面の簡単な説明】
【図１】本発明の真空梱包機の概略構成斜視図である。
【図２】袋押さえ部およびその周辺の概略構成断面図である。
【図３】本発明の真空梱包機の動作を説明する概略構成断面図である。
【図４】従来の真空梱包機の概略構成斜視図である。
【図５】従来の真空梱包機の課題を説明する概略構成断面図である。
【符号の説明】
１１…箱体、１２…箱体、１３…加熱部、１３ｓ…上面、１４…袋押さえ部、１４ｓ…押さえ面
【図１】
2004075132.tif 000003
【図２】
2004075132.tif 000004
【図３】
2004075132.tif 000005
【図４】
2004075132.tif 000006
【図５】
2004075132.tif 000007